(57)【要約】  【課題】巻線型トランスの小型化を簡単な構造で実現できるようにする。  【解決手段】ボビン（絶縁体）２の中央部に一次巻線３２を装着し、この一次巻線３２の両側に第１と第２の二次巻線３９，４１を装着する。第１の二次巻線の一端のリード線３９ａを第１の端子台１６の二次高圧端子２４に接続し、一次巻線３２の一端のリード線３２ａと第１の二次巻線３９の一次巻線３２と接する側の巻線の端部のリード線３９ｂとをそれぞれ第１の端子台１６の対応する一次入力端子２２とグランド端子２０に接続する。第２の二次巻線４１の一端のリード線４１ｂを第２の端子台の二次高圧端子３０に接続し、一次巻線３２の他端のリード線３２ａと第２の二次巻線４１の一次巻線３２と接する側の巻線の端部のリード線４１ａとをそれぞれ第２の端子台１８の対応する一次入力端子２８とグランド端子２６に接続する。ボビン（絶縁体）２にはコア４２を装備する。【選択図】図１
2005167110.tif 000002
【特許請求の範囲】
【請求項１】
コアに絶縁体を介して巻かれた一次巻線と、該一次巻線に隣接しその一方側に配置された第１の二次巻線と、前記一次巻線に隣接しその他方側に配置された第２の二次巻線と、前記一次巻線用の一次入力端子と、前記第１の二次巻線用の二次高圧端子と、前記第２の二次巻線用の二次高圧端子と、前記第１と第２の二次巻線用のグランド端子とを備え、前記一次巻線を前記一次入力端子に接続し、前記第１の二次巻線の一端のリード線を前記第１の二次巻線用の二次高圧端子に接続し、前記第１の二次巻線の他端のリード線を前記第１の二次巻線用のグランド端子に接続し、前記第２の二次巻線の一端のリード線を前記第２の二次巻線用の二次高圧端子に接続し、前記第２の二次巻線の他端のリード線を前記第２の二次巻線用のグランド端子に接続し、前記各巻線の内側にコアを配置し、前記一次巻線の両側に配置した二次巻線で複数出力を構成したことを特徴とする巻線型トランス。
【請求項２】
前記第１及び第２の各二次巻線を複数本の重ねた線で並列に巻き、多出力を構成したことを特徴とする請求項１に記載の巻線型トランス。
【請求項３】
前記一次巻線とその両側の前記第１と第２の二次巻線とを前記コアの直線部分に配置したことを特徴とする請求項１又は請求項２に記載の巻線型トランス。
【請求項４】
前記第１と第２の二次巻線を前記一次巻線の上から絶縁体を介して重ねて巻いたことを特徴とする請求項１又は請求項２に記載の巻線型トランス。
【請求項５】
前記コアを垂直部分とこれの両端に直角方向に延びる一対の平行部分とで構成し、前記一対の平行部分の一方の平行部分に絶縁体を介して前記第１の二次巻線を配置し他方の平行部分に絶縁体を介して前記第２の二次巻線を配置し、前記第１と第２の二次巻線の中間に位置して前記一次巻線を配置したことを特徴とする請求項１又は請求項２に記載の巻線型トランス。
【請求項６】
ボビンの中央部に一次巻線を装着し、この一次巻線の両側に第１と第２の二次巻線を装着し、前記一次巻線とその両側の第１及び第２の二次巻線との境界に絶縁耐圧用のパーティションを配設し、前記ボビンの一端に第１の端子台を設け、前記ボビンの他端に延びる第２の端子台を設け、それぞれの端子台の一方側に二次高圧端子を設け、それぞれの端子台の他方側に前記二次高圧端子に対して距離を存した位置に一次入力端子とグランド端子を設け、前記第１の二次巻線の前記第１の端子台側の一端のリード線を前記第１の端子台の二次高圧端子に接続し、前記一次巻線の一端のリード線と前記第１の二次巻線の前記一次巻線と接する側の巻線の端部のリード線とを前記ボビンの一端に導き、該リード線をそれぞれ前記第１の端子台の対応する一次入力端子とグランド端子に接続し、前記第２の二次巻線の前記第２の端子台側の一端のリード線を前記第２の端子台の二次高圧端子に接続し、前記一次巻線の他端のリード線と前記第２の二次巻線の前記一次巻線と接する側の巻線の端部のリード線とを前記ボビンの他端に導き、該リード線をそれぞれ前記第２の端子台の対応する一次入力端子とグランド端子に接続し、前記ボビンにコアを装備し、一次側巻線とその両側の二次巻線とで１入力２出力を構成したことを特徴とする巻線型トランス。
【請求項７】
前記一次巻線の一端のリード線と前記二次巻線の外周面との間、前記第１の二次巻線の前記一次巻線と接する側の巻線の端部のリード線と前記二次巻線の外周面との間、前記一次巻線の他端のリード線と前記二次巻線の外周面との間、前記第２の二次巻線の前記一次巻線と接する側の巻線の端部のリード線と前記二次巻線の外周面との間に位置して細長状の絶縁体から成る遮蔽体を配置したことを特徴とする請求項６に記載の巻線型トランス。
【請求項８】
コアに絶縁体を介して巻かれた一次巻線と、該一次巻線に隣接しその一方側に配置された第１の二次巻線と、前記一次巻線に隣接しその他方側に配置された第２の二次巻線と、前記一次巻線用の一次入力端子と、前記第１の二次巻線用の二次高圧端子と、前記第２の二次巻線用の二次高圧端子と、前記第１と第２の二次巻線用のグランド端子とを備え、前記一次巻線を前記一次入力端子に接続し、前記第１の二次巻線の一端のリード線を前記第１の二次巻線用の二次高圧端子に接続し、前記第１の二次巻線の他端のリード線を前記第１の二次巻線用のグランド端子に接続し、前記第２の二次巻線の一端のリード線を前記第２の二次巻線用の二次高圧端子に接続し、前記第２の二次巻線の他端のリード線を前記第２の二次巻線用のグランド端子に接続し、前記各巻線の内側にコアを配置し、前記一次巻線の両側に配置した二次巻線で複数出力を構成し、前記巻線型トランスの一次巻線に共振コンデンサを接続して一次側共振回路を設け、前記一次巻線に、一次側共振電圧のフィードバック信号に基づいて一次側共振周波数で自励発振する自励発振回路を接続したことを特徴とする電源装置。
【請求項９】
ボビンの中央部に一次巻線を装着し、この一次巻線の両側に第１と第２の二次巻線を装着し、前記一次巻線とその両側の第１及び第２の二次巻線との境界に絶縁耐圧用のパーティションを配設し、前記ボビンの一端に第１の端子台を設け、前記ボビンの他端に第２の端子台を設け、それぞれの端子台の一方側に二次高圧端子を設け、それぞれの端子台の他方側に前記二次高圧端子に対して距離を存した位置に一次入力端子とグランド端子を設け、前記第１の二次巻線の前記第１の端子台側の一端のリード線を前記第１の端子台の二次高圧端子に接続し、前記一次巻線の一端のリード線と前記第１の二次巻線の前記一次巻線と接する側の巻線の端部のリード線とを前記ボビンの一端に導き、該リード線をそれぞれ前記第１の端子台の対応する一次入力端子とグランド端子に接続し、前記第２の二次巻線の前記第２の端子台側の一端のリード線を前記第２の端子台の二次高圧端子に接続し、前記一次巻線の他端のリード線と前記第２の二次巻線の前記一次巻線と接する側の巻線の端部のリード線とを前記ボビンの他端に導き、該リード線をそれぞれ前記第２の端子台の対応する一次入力端子とグランド端子に接続し、前記ボビンにコアを装備し、一次側巻線とその両側の二次巻線とで１入力２出力型巻線型トランスを構成し、前記巻線型トランスの一次巻線に共振コンデンサを接続して一次側共振回路を設け、前記一次巻線に、一次側共振電圧のフィードバック信号に基づいて一次側共振周波数で自励発振する自励発振回路を接続したことを特徴とする電源装置。
【請求項１０】
第１と第２の２本の蛍光ランプのうち、第１の蛍光ランプの一方の電極を前記第１の二次巻線の二次高圧端子に接続し、第１の蛍光ランプに直列に第２の蛍光ランプを接続し、該第２の蛍光ランプを前記第２の二次巻線の二次高圧端子に接続したことを特徴とする請求項１又は請求項８又は請求項９に記載の電源装置。
【発明の詳細な説明】
【技術分野】
【０００１】
本発明は、冷陰極型蛍光ランプなどの負荷を駆動するインバータ等に用いられる複数出力型の巻線型高圧用出力トランス及びこの高圧用巻線型出力トランスを用いた電源装置に関する。
【背景技術】
【０００２】
従来、閉磁路を形成する一組のコアの少なくとも一方に、複数の中脚部と隔壁部及び外周壁部を形成し、前記各中脚部に同心状に別々の二次巻線を装着するとともに外周壁部の内側で前記全二次巻線を包含するように一次巻き線を装着することによって１つの１次巻線によって複数の二次巻線を同時に励磁するようにしたトランスが知られている（例えば特許文献１参照）。
また、従来、図１６に示すように、冷陰極型蛍光ランプ４６を巻線型トランスの出力で駆動する場合には、巻線型トランスＴの二次側の巻線の高圧端子にコンデンサを介して蛍光ランプ４６の一方の電極を接続し、蛍光ランプ４６の他方の電極を抵抗を介してアースに接続している。また、４本の蛍光ランプを駆動する場合には、図１７に示すように、蛍光ランプ４４，４６，４６，４６ごとに巻線型トランスＴ１，Ｔ２，Ｔ３，Ｔ４を用意し、２本の蛍光ランプ４６，４６を直列に接続し、この各一対の蛍光ランプの中、一方の蛍光ランプ４６，４６を対応する巻線トランスＴ１，Ｔ３の二次側高圧端子にバラストコンデンサを介して接続し、他方の蛍光ランプ４４，４４を対応する巻線トランスＴ２，Ｔ４の二次側高圧端子にバラストコンデンサを介して接続し、各巻線トランスＴ１，Ｔ２，Ｔ３，Ｔ４の二次側の他方の端子をアースに接続している。
【０００３】
また、多灯式リーケージトランスを用いたバラストレス型放電灯点灯回路において、一方の二次巻線の両端が接地線を介して放電灯の両端に接続され、また、他方の二次巻線も同様に接地線を介してもう一つの放電灯の両端に接続され、１つの入力に対して２つの放電灯を同時に駆動することができるようにしたＤＣ／ＡＣインバータ回路が知られている（例えば特許文献１参照）。
【特許文献１】特開２００２−０７５７５６号公報（段落００１２，第１１図）
【発明の開示】
【発明が解決しようとする課題】
【０００４】
従来、高圧用の巻線型出力トランスでは、二次側に複数の出力部を構成する場合、特許文献１に示すようにコアの構造が複雑となってしまうという問題点があった。
本発明は上記問題点を解決することを目的とする。
また、蛍光ランプ（放電型ランプ）の一方の電極を巻線型トランスの二次側高圧端子に接続し、他方の電極をアースに落として蛍光ランプを駆動する方式は、蛍光ランプの一端側が高圧で他端側が低圧となり、トランス接続側が明るく、アース側が暗くなり、輝度にムラが生じてしまうという問題点がある。２本の蛍光ランプを直列に接続し、２個の巻線型トランスで２本の蛍光ランプを駆動する方式は、２本の蛍光ランプの両端に高圧がかかり、明るさのムラの発生を解消することができるが蛍光ランプごとに巻線トランスが必要となってしまい、巻線トランスの小型化に適しないという問題点がある。
本発明は上記問題点を解決することを目的とするものである。
【課題を解決するための手段】
【０００５】
上記目的を達成するため本発明は、コアに絶縁体を介して巻かれた一次巻線と、該一次巻線に隣接しその一方側に配置された第１の二次巻線と、前記一次巻線に隣接しその他方側に配置された第２の二次巻線と、前記一次巻線用の一次入力端子と、前記第１の二次巻線用の二次高圧端子と、前記第２の二次巻線用の二次高圧端子と、前記第１と第２の二次巻線用のグランド端子とを備え、前記一次巻線を前記一次入力端子に接続し、前記第１の二次巻線の一端のリード線を前記第１の二次巻線用の二次高圧端子に接続し、前記第１の二次巻線の他端のリード線を前記第１の二次巻線用のグランド端子に接続し、前記第２の二次巻線の一端のリード線を前記第２の二次巻線用の二次高圧端子に接続し、前記第２の二次巻線の他端のリード線を前記第２の二次巻線用のグランド端子に接続し、前記各巻線の内側にコアを配置し、前記一次巻線の両側に配置した二次巻線で複数出力を構成したものである。
【０００６】
また本発明は、前記第１及び第２の各二次巻線を複数本の重ねた線で並列に巻き、多出力を構成したものである。
また本発明は、前記一次巻線とその両側の前記第１と第２の二次巻線とを前記コアの直線部分に配置したものである。
また本発明は、前記第１と第２の二次巻線を前記一次巻線の上から絶縁体を介して重ねて巻いたことを特徴とするものである。
また本発明は、前記コアを垂直部分とこれの両端に直角方向に延びる一対の平行部分とで構成し、前記一対の平行部分の一方の平行部分に絶縁体を介して前記第１の二次巻線を配置し他方の平行部分に絶縁体を介して前記第２の二次巻線を配置し、前記第１と第２の二次巻線の中間に位置して前記一次巻線を配置したものである。
【０００７】
また本発明は、ボビンの中央部に一次巻線を装着し、この一次巻線の両側に第１と第２の二次巻線を装着し、前記一次巻線とその両側の第１及び第２の二次巻線との境界に絶縁耐圧用のパーティションを配設し、前記ボビンの一端に該ボビンの軸方向に対して直角方向に延びる第１の端子台を設け、前記ボビンの他端にボビンの軸方向に対して直角方向に延びる第２の端子台を設け、それぞれの端子台の一方側に二次高圧端子を設け、それぞれの端子台の他方側に前記二次高圧端子に対して距離を存した位置に一次入力端子とグランド端子を設け、前記第１の二次巻線の前記第１の端子台側の一端のリード線を前記第１の端子台の二次高圧端子に接続し、前記一次巻線の一端のリード線と前記第１の二次巻線の前記一次巻線と接する側の巻線の端部のリード線とを前記ボビンの一端に導き、該リード線をそれぞれ前記第１の端子台の対応する一次入力端子とグランド端子に接続し、前記第２の二次巻線の前記第２の端子台側の一端のリード線を前記第２の端子台の二次高圧端子に接続し、前記一次巻線の他端のリード線と前記第２の二次巻線の前記一次巻線と接する側の巻線の端部のリード線とを前記ボビンの他端に導き、該リード線をそれぞれ前記第２の端子台の対応する一次入力端子とグランド端子に接続し、前記ボビンにコアを装備し、一次側巻線とその両側の二次巻線とで１入力２出力を構成したものである。
また本発明は、前記一次巻線の一端のリード線と前記二次巻線の外周面との間、前記第１の二次巻線の前記一次巻線と接する側の巻線の端部のリード線と前記二次巻線の外周面との間、前記一次巻線の他端のリード線と前記二次巻線の外周面との間、前記第２の二次巻線の前記一次巻線と接する側の巻線の端部のリード線と前記二次巻線の外周面との間に位置して細長状の絶縁体から成る遮蔽体を配置したものである。
【０００８】
また本発明は、コアに絶縁体を介して巻かれた一次巻線と、該一次巻線に隣接しその一方側に配置された第１の二次巻線と、前記一次巻線に隣接しその他方側に配置された第２の二次巻線と、前記一次巻線用の一次入力端子と、前記第１の二次巻線用の二次高圧端子と、前記第２の二次巻線用の二次高圧端子と、前記第１と第２の二次巻線用のグランド端子とを備え、前記一次巻線を前記一次入力端子に接続し、前記第１の二次巻線の一端のリード線を前記第１の二次巻線用の二次高圧端子に接続し、前記第１の二次巻線の他端のリード線を前記第１の二次巻線用のグランド端子に接続し、前記第２の二次巻線の一端のリード線を前記第２の二次巻線用の二次高圧端子に接続し、前記第２の二次巻線の他端のリード線を前記第２の二次巻線用のグランド端子に接続し、前記各巻線の内側にコアを配置し、前記一次巻線とその両側の二次巻線とで１入力複数出力を構成し、前記巻線型トランスの一次巻線に共振コンデンサを接続して一次側共振回路を設け、前記一次巻線に、一次側共振電圧のフィードバック信号に基づいて一次側共振周波数で自励発振する自励発振回路を接続したものである。
【０００９】
また本発明は、ボビンの中央部に一次巻線を装着し、この一次巻線の両側に第１と第２の二次巻線を装着し、前記一次巻線とその両側の第１及び第２の二次巻線との境界に絶縁耐圧用のパーティションを配設し、前記ボビンの一端に該ボビンの軸方向に対して直角方向に延びる第１の端子台を設け、前記ボビンの他端にボビンの軸方向に対して直角方向に延びる第２の端子台を設け、それぞれの端子台の一方側に二次高圧端子を設け、それぞれの端子台の他方側に前記二次高圧端子に対して距離を存した位置に一次入力端子とグランド端子を設け、前記第１の二次巻線の前記第１の端子台側の一端のリード線を前記第１の端子台の二次高圧端子に接続し、前記一次巻線の一端のリード線と前記第１の二次巻線の前記一次巻線と接する側の巻線の端部のリード線とを前記ボビンの一端に導き、該リード線をそれぞれ前記第１の端子台の対応する一次入力端子とグランド端子に接続し、前記第２の二次巻線の前記第２の端子台側の一端のリード線を前記第２の端子台の二次高圧端子に接続し、前記一次巻線の他端のリード線と前記第２の二次巻線の前記一次巻線と接する側の巻線の端部のリード線とを前記ボビンの他端に導き、該リード線をそれぞれ前記第２の端子台の対応する一次入力端子とグランド端子に接続し、前記ボビンにコアを装備し、一次側巻線とその両側の二次巻線とで１入力２出力型巻線型トランスを構成し、前記巻線型トランスの一次巻線に共振コンデンサを接続して一次側共振回路を設け、前記一次巻線に、一次側共振電圧のフィードバック信号に基づいて一次側共振周波数で自励発振する自励発振回路を接続したものである。
【００１０】
また本発明は、第１と第２の２本の蛍光ランプのうち、第１の蛍光ランプの一方の電極を前記第１の二次巻線の二次高圧端子に接続し、第１の蛍光ランプに直列に第２の蛍光ランプを接続し、該第２の蛍光ランプを前記第２の二次巻線の二次高圧端子に接続したものである。
【発明の効果】
【００１１】
本発明は高圧出力用の巻線型トランスの複数出力を簡単な構成で実現することができる。
【発明を実施するための最良の形態】
【００１２】
以下に本発明の実施の形態を添付した図面を参照して詳細に説明する。
図１において、２は巻線型トランス４４のボビン（絶縁体）であり、その角筒部には所定の間隔を存して四角形の絶縁耐圧用の板状のパーティション４，６，８，１０，１２，１４が複数固設され、ボビン（絶縁体）２上に、巻線用の凹入部を形成している。前記ボビン（絶縁体）２の軸方向の両端には該ボビン（絶縁体）２の軸方向に対して直角方向に延びる端子台１６，１８が固設され、これに端子２０，２２，２４，２６，２８，３０が固着されている。
【００１３】
ボビン（絶縁体）２の一端側の端子台１６には、その一方側に二次高圧端子２４が配置され、その他方側に、一次入力端子２２と二次グランド端子２０が配置されている。一次入力端子２２とグランド端子２０は、二次高圧端子２４の高電圧の影響を受けないように、できるだけ離して、端子台１６の他方側に配置されている。ボビン（絶縁体）２の他端側の端子台１８には、その一方側に二次高圧端子３０が配置され、これからできるだけ離れた他方側に一次入力端子２８と二次グランド端子２６が配置されている。前記端子台１６，１８の前記端子２０，２２と２６，２８取付側に形成されたガイド取付溝１６ａ，１８ａ間には細長状の絶縁体から成る遮蔽体３４が架設され、該遮蔽体３４の凹部３４ｂが対応するパーティション４，６，８，１０，１２，１４の外縁に嵌合している。前記遮蔽体３４には、その長手方向に沿って、前記ボビン（絶縁体）２と対面する側とは反対側に開放された溝から成るリード線ガイド部３４ａが設けられている。
【００１４】
ボビン（絶縁体）２の中央のパーティション８，１０で囲まれた凹入部には、一端側Ａを巻始めとして、一次巻線３２が例えば右巻きで巻回されている。一次巻線３２の巻始め端側Ａのリード線３２ａは、遮蔽体３４に形成された、穴３６を通じて、遮蔽体３４のリード線ガイド部３４ａ内に配置され、該リード線ガイド部３４ａを通って、ボビン（絶縁体）２の一端側に導かれ、端子台１６に形成された案内溝を介して一次側入力端子２２に接続している。一次巻線３２の終端側Ｄのリード線３２ａは、遮蔽体３４に形成された、穴３８を通じて、遮蔽体３４のリード線ガイド部３４ａ内に配置され、該リード線ガイド部３４ａを通って、ボビン（絶縁体）２の他端側に導かれ、端子台１８に形成された案内溝を介して一次側入力端子２８に接続している。ボビン（絶縁体）２上の一次巻線３２の一方側には、ボビン（絶縁体）２の一端側Ｂを巻始めとして、第１の二次巻線３９が右巻きで、端子台１６、パーティション４間、パーティション４，６間、パーティション６，８間の各凹入部に順次巻回されている。
【００１５】
二次巻線３９の中間を複数のパーティション４，６，８によって区画したのは、二次巻線３９の絶縁耐圧を考慮したものである。第１の二次巻線３９の巻始め端側Ｂのリード線３９ａは、端子台１６に形成された溝を通って、二次高圧端子２４に導かれ、これに接続している。第１の二次巻線３９の終端側Ｃのリード線３９ｂは、穴３６を介して遮蔽体３４のリード線ガイド部３４ａ内に配置され、リード線３２ａとともに該リード線ガイド部３４ａを通って、ボビン（絶縁体）２の一端側に導かれ、端子台１６に形成された案内溝を介して二次側グランド端子２０に接続している。ボビン（絶縁体）２の中央の一次巻線３２の他方側には、パーティション１０と接する側Ｄを巻始めとして、第２の二次巻線４１が右巻きで、パーティション１０，１２間、パーティション１２，１４間、パーティション１４、端子台１８間の各凹入部に順次巻回されている。
【００１６】
一次巻線３２の左右に対称に配置された第１と第２の二次巻線３９，４１は同一の構造である。第２の二次巻線４１の終端側Ｅのリード線４１ｂは、端子台１８に形成された溝を通って、二次高圧端子３０に導かれ、これに接続している。第２の二次巻線４１の巻き始め端側Ｄのリード線４１ａは、穴３８を介して遮蔽体３４のリード線ガイド部３４ａ内に配置され、一次巻線３２のリード線３２ａとともに該リード線ガイド部３４ａを通って、ボビン（絶縁体）２の他端側に導かれ、端子台１８に形成された案内溝を介して二次側グランド端子２６に接続している。以上の巻線構造から明らかなように、パーティション８，１０間の一次側巻線３２の両端は二次巻線３９，４１の電圧の低いグランド側と接することになり、隣接する、一次巻線３５の電圧と二次巻線３９，４１の電圧との差が小さくなる。
【００１７】
そのため、一次巻線３２と二次巻線３９，４１との間の絶縁耐圧構造を簡単な構造とすることができる。一次巻線３２と、二次巻線３９，４１のグランド側は、電位差が小さいので、共通のリード線ガイド部３４ａを通して、両者を平行に配置しても絶縁耐圧に問題はない。なお、遮蔽体３４に複数のリード線ガイド部を設け、リード線を一本ずつリード線ガイド部に配置するようにしても良い。４２はコアであり、２個のＥ型コアが接合されて構成され、外縁部分がボビン（絶縁体）２の外側に配置されるとともに、該コア４２の内側部分４２ａがボビン（絶縁体）２の筒部内に配置されている。上記した巻線型トランス４４は、１入力２出力を構成し、このトランスを用いて２本の冷陰極蛍光ランプを明るさに明暗のムラのない状態で駆動することができる。この場合、２本のランプは、両端が二次巻線３９，４１の高圧側に接続されるので、ランプの両端に明るさの差が生じることがない。
【００１８】
上記した１入力２出力巻線型出力トランス４４は、このトランスの一次側で直列あるいは並列共振回路を構成し、トランスの一次側に共振電圧を発生させる自励発振回路により駆動されることが望ましい。この場合、トランスの一次側に電源電圧より高い高電圧が発生することにより、二次側の巻線の量を少なくでき、結果として、従来の１入力１出力の巻線型トランスと同じ大きさで２出力を実現することができる。また、１入力２出力巻線型トランスは、トランスの中央部に一次コイルとコアによる発熱が集中するが、この発熱はトランスの中央部に発生するので、二次巻線との結合のバランスが良好な状態に保持され、トランスが効率的に動作する。従来の１入力１出力の巻線型トランスのように、発熱がトランスの片側に集中すると、一次巻線と二次巻線との結合にアンバランスが生じ効率化の妨げとなる。図６において、１２０は、遮蔽体の他の実施形態を示し、断面形状を三角形としている。
【００１９】
次に巻線型トランスの一次側に共振電圧を発生させる自励発振回路により巻線型トランス４４を駆動する実施形態を図６を参照して説明する。
図６中、５２，５４，５６，５８はＦＥＴから成るスイッチング素子であり、各々のスイッチング素子のソース、ドレイン間には転流ダイオード６０，６２，６４，６６が接続されている。スイッチング素子５２，５４，５６，５８の各々のゲートにはゲート制御回路６８，７０，７２，７４が接続され、これらのうち、ゲート制御回路６８，７２はＰＷＭ制御回路７６に接続し、ゲート制御回路７０，７４はロジック回路７８に接続している。ＰＷＭ制御回路７６は、ランプ２０に流れる電流を検出する整流平滑回路８０から信号を受け取り、この信号のレベルがライン８２から与えられる設定値になるように、スイッチング素子５２，５６の導通角を制御する。４４は基板（図示省略）に固設された１入力２出力型の巻線型トランスであり、２本の冷陰極型蛍光ランプ４６，４６が直列に接続し、蛍光ランプ４６，４６の各一端は、巻線型トランス４４の二次側コイル３９，４１の高圧端子側にそれぞれ接続している。二次側巻線３９，４１の各一端は、それぞれ抵抗を介して接地されている。
【００２０】
一方の抵抗４８は、電流検出回路を構成し、リード線を介して、ランプオープン・ランプショート検出回路９０と起動補償回路８８に接続している。位相検出回路５１は、リード線２７を介して、ＬＣ直列共振回路の中点Ｐに接続している。ロジック回路７８は、リード線２７に接続する位相検出回路５１からの一次側共振位相信号に基づいて、スイッチング素子をオンオフさせるための信号を造出し、ＰＷＭ制御回路７６を介してゲート制御回路６８，７２にオンオフ制御信号を送るとともに、ゲート制御回路７０，７４にオンオフ制御信号を送るように構成されている。位相検出回路５１は、ＬＣ直列共振回路の中点Ｐの位相電圧信号から９０度遅れた補正位相信号をロジック回路７８に供給する。この信号は、一次側ＬＣ直列共振回路に流れる電流と同位相となる。一次側直列共振回路に流れる電流は、キャパシタＣ１の充電電圧が直流電源電圧に到達しても、トランス４４の一次側端子の電圧は電気的に９０度の位相時間が経過した後に０Ｖを越えて更に低下し、更に９０度の位相時間が経過してマイナスの最大値になる。
【００２１】
この時、この電圧から９０度遅れた信号は０Ｖとなるので、このタイミングでスイッチング制御信号をオンオフする。ロジック回路７８はこのようにして交互にスイッチング制御信号を出力する。ロジック回路７８は、調光信号が入力される調光制御回路８４の出力信号に基づいて、調光制御信号を造出し、この調光制御信号によってスイッチング素子オンオフのバースト制御とＰＷＭ制御回路７６のスイッチオンパルス幅を制御し、ランプ４６，４６の明るさを一定に保つことと、調光信号に基づいて、輝度ゼロから１００％まで任意の値に設定し得るように構成されている。また、ロジック回路７８には過電流検出回路８６が接続し、ランプ２０に過電流が流れたとき、ロジック回路７８は、これを検出し、過電流を阻止する信号をＰＷＭ制御回路７６に送り過電流を防止するように構成されている。
【００２２】
起動補償回路８８は、ランプ４６の通電回路に接続し、ランプ４６の電流信号が入力されるように構成されている。起動補償回路８８は、電源オンオフ時、自励発振回路が確実に起動するように、起動補償信号を位相検出回路５１に入力する。位相検出回路５１は、この起動補償信号を受けて、ロジック回路７８に自励発振のための起動信号を出力する。起動補償回路８８は、位相検出回路５１から位相補正された信号がロジック回路７８に入ってトランス一次側に電流がロジックで決められた方向に流れても、ランプ４６が放電を開始しない事がある。起動補償回路８８は、このような場合の起動補償のために設けられている。この場合、確実にランプ４６を点灯させるために、起動補償回路８８は、ランプ４６を流れる電流を検出してランプ４６が点灯したか否か判断し、点灯していない時は、点灯するまで起動補償信号を位相検出回路５１に送り出す。
【００２３】
位相検出回路５１はこの起動補償信号を受けてランプ４６が点灯するまで起動信号をロジック回路７８に出力する。調光制御回路８４では、調光信号入力の電圧が、内蔵の三角波発振回路の出力電圧と比較されて、所定の周期のバースト調光信号を生成する。この信号のデューティサイクルに従って、全体のロジック信号をＯＮ−ＯＦＦさせ結果的に明るさを制御している。この方法は、消灯から全点灯まで自由に調整が可能であるが、ランプ４６はこの調光信号の周期でＯＮ−ＯＦＦされているため、その周期ごとに起動確認と確実な起動が必要となる。そのため、起動補償回路８８は、上記のごとく、確実な点灯を実現するために、はじめに起動補償信号を位相検出回路５１に送り出している。起動補償の動作を図９を参照して説明すると、始めて電源を入れる時や、ランプが点灯していない時、例えば、電流がＩ１の方向に流れる様にスイッチング素子５２と５８とを決められたパルス幅でＯＮにする。
【００２４】
これによりコンデンサ（Ｃ１）とトランス４４の一次巻線に電流が流れ、位相検出回路５１にリード線２７を通じて信号が入り、Ｉ２，Ｉ１，Ｉ２，Ｉ１と交互に電流が流れ、自励発振回路は、検出した共振周波数で発振を開始する。起動補償回路８８は、ロジック回路７８の初期リセット（起動時）も作っている。もしランプ４６が点灯しなかった場合は、再度リセットし、始めの起動信号を位相検出回路５１を通じてロジック回路７８に対し送出する。ランプオープン・ショート検出回路９０は、巻線型トランス１０の二次側に接続し、二次側の電圧及び電流を検出する。ランプ４６が点灯していないか又はランプ４６が取り付けられていない状態即ちランプオープンやランプの配線等がショートした状態即ちランプショートのとき、位相検出回路５１を通じてロジック回路７８に信号を送り、ロジック回路７８、ＰＷＭ制御回路７６及びゲート制御回路６８，７０，７２，７４から成る制御回路を遮断するように構成されている。過電流検出回路８６は、ＰＷＭ制御回路７６が不良であったり、又は、ランプ２０の配線がショートした時等において、ロジック回路７８に信号を送り、制御回路を遮断する。
【００２５】
上記した構成において、電源スイッチがオンとなり、ゲート制御回路６８，７４又は７２，７０のいずれかにＰＷＭ制御回路７６及びロジック回路７８からオン信号が瞬間的に供給されると、直流電源がスイッチング素子５２，５８を通じて、Ｉ１の方向に、あるいは、スイッチング素子５６，５４を通じて、Ｉ２の方向に、巻線型トランス１０の一次側巻線に電流が流れる。これにより、自励発振回路が起動し、巻線型トランス４４が共振電圧を発生する。巻線型トランス４４の一次側の共振電圧の周波数は、リード線２７により、位相検出回路５１に供給される。ロジック回路７８とＰＷＭ制御回路７６は、位相検出回路５１からの位相信号に基づいて、ゲート制御回路６８，７０，７２，７４を駆動し、スイッチング素子５２，５４，５６，５８をオンオフ制御する。
【００２６】
スイッチング素子５２，５４，５６，５８のオンオフによって電流は、Ｉ１とＩ２の方向に交互に流れ、自励発振回路は、巻線型トランス１０の一次側共振周波数で自励発振する。２本の蛍光ランプ４６，４６の各両端電極には、トランスの二次側巻線の高電圧が印加されるため、明るさにムラが生じない。前記巻線型トランス４４は、図７に示すように、基板に正しい向きで固定されると、ボビン（絶縁体）２の軸方向に対して直角方向に延びる端子台１６，１８の右側に、ボビン（絶縁体）２を挟んで、二次高圧端子２４，３０が並び、左側に、グランド端子２０，２６と、一次入力端子２２，２８とがボビン（絶縁体）２を挟んで並ぶ。そのため、巻線型トランス４４に、コネクタ１２８を介してランプ４６，４６を最短距離でシンプルに接続でき、トランス４４とランプ４６，４６間の接続配線及び自励発振回路との接続配線をきわめてシンプルな構成とすることができる。
【００２７】
しかも、図７から明らかなように、巻線型トランスの右側に高圧端子、左側に低圧端子が配置されるので、トランスの高圧側と低圧側との縁面距離を広くとることができ、トランスの安定的動作と小型化を図ることができる。
尚、上記実施形態はいずれも、巻線型トランスの一次側共振周波数を、巻線型トランスの一次側からリード線を通じて取り出しているが、この構成に特に限定されるものではなく、巻線型トランスの二次側の共振周波数から、周波数解析回路により一次側共振周波数を検出し、この検出信号によってロジック回路７８やＰＷＭ制御回路７６等を動作させるようにしても良い。
本実施形態は上述の如く、巻線型トランスの一次側に入力電源電圧より高い共振電圧が得られるので、巻線型トランスの二次側の巻線数を少なくでき、小型化が可能である。そのため、本発明に使用される巻線型トランスは、普通の１入力１出力型の巻線型トランスとほぼ同じ大きさで、１入力２出力型の巻線型トランスとすることが可能となる。
【００２８】
次に第８図を参照して巻線型トランスの他の実施形態について説明する。
図中、１３０はボビン（絶縁体）であり、コア１３２の平行部分の一方に嵌挿されている。コア１３２は２個のコ字状のコアが接合されてロの字状に構成されている。ボビン（絶縁体）１３０の両端には、それぞれ端子台１３４，１３６が取り付けられ、該端子台１３４，１３６のそれぞれに二次側高圧端子３８，４０、二次側グランド端子１４２，１４４、一次側入力端子１４６，１４８が設けられている。前記ボビン（絶縁体）１３０の中央には、一次巻線１５０が配置され、該一次巻線１５０の両端はリード線を介して、一次入力端子１４６，１４８に図示のように接続している。前記一次入力巻線１５０の両側には巻線間の沿面距離を確保するための絶縁耐圧用のパーティション１５２，１５４を介して、二次巻線１５６，１５８が配置されている。前記二次巻線１５６，１５８の巻き始め端は、リード線を介して、一次高圧端子１３８，１４０に図示の如く接続し、巻き終わり端は、それぞれリード線を介して、グランド端子１４２，１４４に図示の如く接続している。
【００２９】
上記の如く構成することにより、一入力複数出力を簡単な構成で達成することができる。また、コア１３２の他方の平行部分も同様な構成とすることができ、この場合には、一次側を直列又は並列に接続して一入力とし、４出力を実現できる。
なお、上記図８に示す構成において、図９に示すように、ボビン（絶縁体）１６０の中間にパーティションを兼ねた端子台１６２，１６４とボビン（絶縁体）１６０の両端に端子台１６６，１６８を設け、一次巻線１５０の両端をリード線を介して、一次入力端子１７０，１７２に接続し、二次巻線１５６，１５８の各々の巻き始め端をリード線を介して二次側高圧端子１７４，１７６に接続し、二次巻線１５６，１５８の各々の巻き終わり端をリード線を介してグランド端子１７８，１８０に接続するようにしても良い。
次に図１０及び図１１を参照して巻線トランスの他の実施形態について説明する。
【００３０】
１８２はコアであり、２個のコ字状のコアが接合してロの字状のコアを構成している。コア１８２の平行部分の一方には、一次用ボビン（絶縁体）１８４が嵌挿配置されている。一次用ボビン（絶縁体）１８４の中央には、端子台１８６が固設され、該端子台１８６に一次入力端子１８８，１９０が設けられている。前記ボビン（絶縁体）１８４には、一次巻線１９２が装着され、該一次巻線１９２の両端はリード線を介して一次入力端子１８８，１９０に接続している。前記一次用ボビン（絶縁体）１８４の外側には、端子台１８６の両側に位置して、一対の二次用ボビン（絶縁体）１９２，１９４が嵌挿配置されている。二次用ボビン（絶縁体）１９２，１９４の各一端のパーティション１９６が、端子台１８６の両側面に当接している。図１０においては、二次用ボビン（絶縁体）１９２，１９４のパーティション１９６は、図面の複雑化を避けるため、図示省略してある。二次用ボビン（絶縁体）１９２，１９４には、二重にした２本の線ａ，ｂによって、二次巻線１９８，２００が巻かれている。二重線からなる二次巻線１９８，２００の巻き始め端は、リード線を介して、二次用ボビン（絶縁体）１９２，１９４の各々の端子台２０２，２０４に設けられた二次高圧端子２０６，２０８，２１０，２１２に接続し、巻き終わり端は、リード線を介して、グランド端子２１４，２１６に接続している。
【００３１】
上記した構成において、一次巻線１９２と二次巻線１９８，２００との関係はボビン（絶縁体）の二層構造において、一次巻線の両側に二次巻線１９８，２００が配置されることになり、単純な構造によって多出力を構成することができる。本実施形態において、二次巻線を構成する二重の平行線には高圧がかかるが、この高圧は互いに同電位であるため、平行二次巻線間にショートや電流の漏れが生じることはない。また、コア１８２の他方の平行部分１８２ａも同様な構成とすることができ、この上下対称の構造とした場合には、一次側を直列又は並列に接続して一入力とし、８出力を実現できる。巻き線の本数を３本或いは４本等とすることにより、更に多出力が可能となる。なお、図８乃至図１１に示す上記実施形態の巻線トランスは、図６に示す自励発振回路により駆動される。
【００３２】
次に、一次入力の巻線の両側に二次巻線を配置した巻線型トランスの他の実施形態について説明する。
図１２において、２２２はボビン（絶縁体）であり、外周部に一次巻線２２４が装着されている。ボビン２２２の内径部には、厚み方向に貫通する穴２２６，２２８が形成され、該穴２２６，２２８にＵ字状のコア２３０の平行部分２３０ａ，２３０ｂが挿入されている。前記平行部分２３０ａ，２３０ｂには、二次巻線２３２，２３４が装着されたボビン２３６，２３８の内径部が挿入されている。２４０はＵ字状のコアの開放端に結合された棒状のコアであり、コアによって形成される磁気回路をクローズドループとするためのものである。前記コア２３０の両側には、端子台２４２，２４４が取り付けられ、一方の端子台２４２には、二次グランド端子２４６，２４８、一次入力端子２５０，２５２が設けられ、他方の端子台２４４には、二次高圧端子２５４，２５６が設けられている。前記一次巻線２２４の両端は、対応する一次入力端子２５０，２５２に接続し、二次巻線２３２，２３４の各々の高圧側は、対応する二次高圧端子２５４，２５６に接続し、各々のグランド側は、対応する二次グランド端子２４６，２４８に接続している。
【００３３】
前記一次巻線２２４は、図１２に示すように、その内径部が、コア２３０の平行部分２３０ａ，２３０ｂの一部と、コア２３０の垂直部分の一部にわたって掛け渡されている。尚、コア２３０の磁気回路をクローズドループにする方法として、図１３（ｆ）に示すコア２５８を用い、該コア２５８をコア２３０の上から被せ、一方の端縁部２５８ａをコア２３０の平行部分２３０ａ，２３０ｂの開放端に対接させ、他方の端縁部２５８ｂをコア２３０の垂直部分に当接させるようにしても良い。
上記のように構成することで、１入力２出力型の小型化に適した、真ん中に一次巻線、その両側に二次巻線構成の巻線型トランス２６０を構成することができる。
上記トランス２６０は、図６のトランス４４と同様に、一次直列共振型の自励発振回路に接続されて使用される。尚、上記トランス２６０の二次巻線２３２，２３４を図１１に示すように、並列巻きとし、多出力型の巻線型トランスとすることができる。
【００３４】
次に、一次巻線と二次巻線の二層構造を絶縁フィルムを用いて実現した実施形態について、図１４を参照して説明する。
２６２は一対のＥ型コアを対称的に向き合わせて接合したコアであり、これの内側部分にボビン２６４が装着され、、該ボビン２６４に一次巻線２６６が巻かれている。この一次巻線２６６の上には絶縁フィルム２６８が被覆されている。この絶縁フィルム２６８の上には、一次巻線２６６の左右両側に位置して、二次巻線２７０，２７２が巻かれている。各二次巻線２７０，２７２は、それぞれ４００〜１０００ターン巻かれ、互いに重なる部分には絶縁フィルム（図示省略）が配置されている。二次巻線２７０と２７２との間、及び、二次巻線２７０，２７２上にも適宜、絶縁耐圧用のパーティション（図示省略）が設けられている。一次巻線の両端は、コア２６２の両側に設けられた端子台２７４，２７６の一次入力端子２７８，２８０に接続している。二次巻線２７０，２７２の各々の一方は、二次グランド端子２８２，２８４にそれぞれ接続し、二次巻線２７０，２７２の各々の他方は、二次高圧端子２８６，２８８に接続している。
【００３５】
上記のように構成することで、１入力２出力型の小型化に適した、真ん中に一次巻線、その両側に二次巻線構成の巻線型トランスを構成することができる。
上記トランスは、図６のトランス４４と同様に、一次直列共振型の自励発振回路に接続されて使用される。また、上記トランスの二次巻線２７０，２７２を図１１に示すように、並列巻きとし、多出力型の巻線型トランスとすることができる。
【００３６】
図６に示す、上記実施形態では、出力トランス４４の一次巻線の一端に共振コンデンサＣ１を直列に接続し、出力トランス４４の一次側に直列共振回路を形成しているが、本発明は、特にこの構成に限定されるものではない。例えば、図１５に示すように、真ん中に一次巻線、その両側に二次巻線を配置した構成の上記各実施形態に示す出力トランスにおいて、一次側巻線を例えば１１ターンずつ巻いてタップを出し、このタップ間に図１５に示すように、共振コンデンサＣ１を直列に接続して、出力トランス４４’を構成しても良い。この出力トランス４４’の一次側直列共振回路ＬＣの構成は、キャパシタＣ１を中心として対称とすることができ、この対称構成により出力トランス４４’を効率的に駆動することができる。また、上記実施形態に使用された出力トランスのコアは絶縁性を有するフェライトコアを用いることができ、この絶縁性コアを用いた場合にはボビンや絶縁フィルムを介しないで直接巻線をコアに装着することができる。
【図面の簡単な説明】
【００３７】
【図１】本発明の巻線型トランスの説明的裏面図である。
【図２】遮蔽体の平面図である。
【図３】Ａ−Ａ線断面図である。
【図４】本発明の巻線型トランスの側面図である。
【図５】巻線型トランスの要部の断面図である。
【図６】本発明の応用例を示すブロック回路図である。
【図７】本発明の説明図である。
【図８】巻線型トランスの他の実施形態を示す説明図である。
【図９】巻線型トランスの他の実施形態を示す外観説明図である。
【図１０】巻線型トランスの他の実施形態を示す外観説明図である。
【図１１】巻線型トランスの他の実施形態を示す外観説明図である。
【図１２】巻線型トランスの他の実施形態を示す説明図である。
【図１３】巻線型トランスの他の実施形態を示す外観説明図である。
【図１４】巻線型トランスの他の実施形態を示す分解説明図である。
【図１５】本発明の他の実施形態を示すブロック回路図である。
【図１６】従来技術の回路図である。
【図１７】従来技術の回路図である。
【符号の説明】
【００３８】
２      ボビン（絶縁体）  
４      パーティション        
６      パーティション
８      パーティション
１０    パーティション
１２    パーティション
１４    パーティション
１６    端子台
１８    端子台
２０    端子
２２    端子
２４    端子
２６    端子
２８    端子
３０    端子
３２    一次巻線
３４    遮蔽体
３９    二次巻線
４１    二次巻線
４２    コア
４４    巻線型トランス
４６    冷陰極型蛍光ランプ
４８    抵抗
５０    誤動作防止回路
５１    位相差造出回路
５２〜５８  スイッチング素子
６２〜６６  転流ダイオード
６８    ゲート制御回路
７０    ゲート制御回路
７２    ゲート制御回路
７４    ゲート制御回路
７６    ＰＷＭ制御回路
７８    ロジック回路
８０    整流制御回路
８２    ライン
８４    調光制御回路
８６    過電流検出回路
８８    起動補償回路
９０    ランプオープン・ショート検出回路
９２    ボビン（絶縁体）
９４    二次巻線
９６    端子台
９８    リードピン
１００  パーティション
１０２  端子台
１０４  リードピン
１０６  Ｆ巻線
１０８  一次巻線
１１０  リードピン
１１２  リードピン
１１４  リードピン
１１６  リードピン
１１８  リードピン
１２０  ガイド
１２２  切欠部
１２４  ガイド
１２６  穴
１２８  コネクター
１３０  ボビン（絶縁体）
１３２  コア
１３４  端子台
１３６  端子台
１３８  高圧端子
１４０  高圧端子
１４２  グランド端子
１４４  グランド端子
１４６  入力端子
１４８  入力端子
１５０  一次巻線
１５２  パーティション
１５４  パーティション
１５６  二次巻線
１５８  二次巻線
１６０  ボビン（絶縁体）
１６２  端子台
１６４  端子台
１６６  端子台
１６８  端子台
１７０  入力端子
１７２  入力端子
１７４  高圧端子
１７６  高圧端子
１７８  グランド端子
１８０  グランド端子
１８２  コア
１８４  ボビン（絶縁体）
１８６  端子台
１８８  入力端子
１９０  入力端子
１９２  ボビン（絶縁体）
１９４  ボビン（絶縁体）
１９６  パーティション
１９８  二次巻線
２００  二次巻線
２０２  端子台
２０４  端子台
２０６  高圧端子
２０８  高圧端子
２１０  高圧端子
２１２  高圧端子
２１４  グランド端子
２１６  グランド端子
２１８  グランド端子
２２０  グランド端子
２２２  ボビン
２２４  一次巻線
２２６  穴
２２８  穴
２３０  コア
２３２  二次巻線
２３４  二次巻線
２３６  ボビン
２３８  ボビン
２４０  棒状コア
２４２  端子台
２４４  端子台
２４６  二次グランド端子
２４８  二次グランド端子
２５０  一次入力端子
２５２  一次入力端子
２５４  二次高圧端子
２５６  二次高圧端子
２５８  コア
２６０  トランス
２６２  コア
２６４  ボビン
２６６  一次巻線
２６８  絶縁フィルム
２７０  二次巻線
２７２  二次巻線
２７４  端子台
２７６  端子台
２７８  一次入力端子
２８０  一次入力端子
２８２  グランド端子
２８４  グランド端子
２８６  二次高圧端子
２８８  二次高圧端子
【図１】
2005167110.tif 000003
【図２】
2005167110.tif 000004
【図３】
2005167110.tif 000005
【図４】
2005167110.tif 000006
【図５】
2005167110.tif 000007
【図６】
2005167110.tif 000008
【図７】
2005167110.tif 000009
【図８】
2005167110.tif 000010
【図９】
2005167110.tif 000011
【図１０】
2005167110.tif 000012
【図１１】
2005167110.tif 000013
【図１２】
2005167110.tif 000014
【図１３】
2005167110.tif 000015
【図１４】
2005167110.tif 000016
【図１５】
2005167110.tif 000017
【図１６】
2005167110.tif 000018
【図１７】
2005167110.tif 000019